(57)【特許請求の範囲】
【請求項１】
コークス炉ガス脱硫設備に供給する液体触媒を製造する液体触媒製造方法であって、
溶解槽に溶媒水を貯留し、前記溶媒水中にピクリン酸粉体を投入し、前記溶解槽の底面に前記ピクリン酸粉体の堆積層を形成し、前記堆積層の内部で空気をバブリングさせることを特徴とする液体触媒製造方法。
【請求項２】
請求項１に記載した液体触媒製造方法において、
前記バブリングは、前記堆積層内を延びる送気管から下向きに空気を吹き出すことを特徴とする液体触媒製造方法。
【請求項３】
請求項２に記載した液体触媒製造方法において、
前記バブリングは、空気を吹き出す方向が、下向きかつ前記送気管の側方に向けて傾けられ、かつ側方へ吹き出す向きが前記送気管の連続方向に交互に逆向きとされていることを特徴とする液体触媒製造方法。
【請求項４】
請求項１から請求項３のいずれか一項に記載した液体触媒製造方法において、
前記バブリングは、所定の時間間隔で間欠的に行うことを特徴とする液体触媒製造方法。
【請求項５】
コークス炉ガス脱硫設備に供給する液体触媒を製造する液体触媒製造装置であって、
溶媒水を貯留しかつ底面にピクリン酸粉体の堆積層が形成される溶解槽を有し、
前記溶解槽に前記堆積層内を延びる送気管が設置されていることを特徴とする液体触媒製造装置。
【発明の詳細な説明】
【技術分野】
【０００１】
本発明は、液体触媒製造方法および製造装置に関し、コークス炉ガス脱硫設備に用いる液体触媒の製造に関する。
【背景技術】
【０００２】
従来、製鉄所等では、コークス炉から水素やメタンを含むコークス炉ガスが生成される。コークス炉ガスは、他の設備の燃料として利用される。利用する際には、コークス炉ガスを脱硫設備に通し、硫化水素を除去している。コークス炉ガス脱硫設備には、コークス炉ガス中に液体触媒を含む脱硫吸収液を噴霧する湿式脱硫が用いられる。液体触媒としては、例えばピクリン酸水溶液が用いられる。
液体触媒は、例えば溶解槽に軟水（溶媒水）を貯留し、そこに触媒成分であるピクリン酸粉体を投入し、溶媒水中に溶解させることで製造される。この際、ピクリン酸粉体の溶解を促進するために、攪拌装置で溶媒水を攪拌することが行われている。
【０００３】
攪拌装置としては、軸流発生用のスクリューあるいはファンを用いるもの（特許文献１参照）、回転軸に沿って羽根を有し回転流れを発生させるもの（特許文献２参照）などが利用される。
【先行技術文献】
【特許文献】
【０００４】
【特許文献１】特開平９−４１２７９号公報
【特許文献２】特開２０１４−１８８３８４号公報
【発明の概要】
【発明が解決しようとする課題】
【０００５】
前述のように、液体触媒としてピクリン酸水溶液が用いられる。しかし、ピクリン酸は、比重が１．８程度と水より重く、かつ難溶性である。このため、製造にあたって次のような問題があった。
ピクリン酸は、粉体状態で溶解槽内に投入されても、槽内の溶媒水に容易に溶解せず、溶解槽の底部に山状の堆積層を形成する。そこで、前述した攪拌装置を用いて溶媒水を攪拌し、ピクリン酸堆積層の表面に溶媒水を十分に接触させ、溶解を促進している。
【０００６】
しかし、従来の撹拌装置では、水流がピクリン酸堆積層の表面に接触しても、堆積層の表面のピクリン酸粉体を巻き上げるばかりで、溶解の促進に十分ではなかった。そして、溶解が不十分でありながら、巻き上げられたピクリン酸粉体で、溶解槽内のフィルタを閉塞させる等の不都合を生じる原因となっていた。
【０００７】
一方、ピクリン酸粉体の溶解を強化するために、攪拌装置の羽根やスクリューをピクリン酸堆積層の内部に埋没させた状態で回転させ、撹拌することも行われる。しかし、堆積層内で攪拌を行うと、ピクリン酸堆積層が崩壊し、堆積層を形成していた未溶解のピクリン酸粉体が大量に巻き上げられ、前述したフィルタの閉塞を招く。さらに、溶媒水へのピクリン酸の溶解が過剰となり、液体触媒としての触媒成分の濃度が高くなりすぎ、外部に供給された際にピクリン酸の再結晶や閉塞などのトラブルを生じる原因になっていた。
【０００８】
本発明は、過剰な攪拌を防止しつつ十分な溶解が得られる液体触媒製造方法および製造装置を提供することにある。
【課題を解決するための手段】
【０００９】
本発明の液体触媒製造方法は、コークス炉ガス脱硫設備に供給する液体触媒を製造する液体触媒製造方法であって、
溶解槽に溶媒水を貯留し、前記溶媒水中にピクリン酸粉体を投入し、前記溶解槽の底面に前記ピクリン酸粉体の堆積層を形成し、前記堆積層の内部で空気をバブリングさせることを特徴とする。
【００１０】
本発明では、ピクリン酸粉体の堆積層内で空気をバブリングすることで、バブルが通過する際にピクリン酸粉体と溶媒水とを広い面積で接触させることができる。さらに、バブルの通過時にピクリン酸粉体を振動させ、攪拌効果を得ることができる。これにより、溶媒水に対するピクリン酸粉体の溶解を促進でき、触媒成分として十分な溶解が得られる。
一方、堆積層内に吹き出されたバブルは、ピクリン酸粉体の隙間を通過するだけである。このため、堆積層を崩さないようにできるとともに、ピクリン酸粉体の巻き上げによる不都合や、触媒成分が過剰な濃度になる等の不都合を解消することができる。
【００１２】
本発明の液体触媒製造方法において、前記バブリングは、前記堆積層内を延びる送気管から下向きに空気を吹き出すことが好ましい。
このような本発明では、空気を吹き出す開口等が下向きとなるため、この開口から送気管内に溶解槽内の溶媒水やピクリン酸粉体が侵入することを防止できる。送気管内に溶媒水やピクリン酸粉体が侵入すると、これを排出するために強いブローなどを行う必要がある。しかし、空気を吹き出す向きを下向きとしておくことで、これらの侵入を未然に防止できる。
本発明において、堆積層内を延びる送気管から下向きに空気を吹き出す構造としては、孔やスリットなどの開口を用いることができる。孔やスリットは所定の細かさのネットで覆ってもよい。
【００１３】
本発明の液体触媒製造方法において、前記バブリングは、空気を吹き出す方向が、下向きかつ前記送気管の側方に向けて傾けられ、かつ側方へ吹き出す向きが前記送気管の連続方向に交互に逆向きとなるようにしてもよい。
このような本発明では、送気管の各々の両側の広い領域にわたってバブリングを行うことができる。
【００１４】
本発明の液体触媒製造方法において、前記バブリングは、所定の時間間隔で間欠的に行うことが好ましい。
このような本発明では、攪拌期間中はバブリングによる攪拌効果を得られるとともに、休止期間中は空気の供給を停止することができ、全体として少ない空気流量で攪拌力を確保することができる。
間欠的なバブリングとしては、所定の休止時間ののち、所定の攪拌時間でバブリングする等の運転パターンが採用できる。バブリング時の送気は、攪拌期間中一定量を送気するパターンや、漸増したのち一定量を送気し、漸減して休止する台形状のパターン、漸増してピークに達したのち漸減する三角形のパターンなど、種々のパターンを採用することができる。
このような送気パターンは、送気管に空気を供給する装置において、送気制御弁の開閉により行うことができ、弁制御は制御装置により自動運転することができる。
【００１５】
本発明の液体触媒製造装置は、コークス炉ガス脱硫設備に供給する液体触媒を製造する液体触媒製造装置であって、
溶媒水を貯留しかつ底面にピクリン酸粉体の堆積層が形成される溶解槽を有し、
前記溶解槽に前記堆積層内を延びる送気管が設置されていることを特徴とする。
このような本発明では、前述した本発明の液体触媒製造方法に基づく運転を行うことで、同方法で説明した通りの作用効果を得ることができる。
【発明の効果】
【００１６】
本発明によれば、堆積層内での空気バブリングによる攪拌を行うことで、過剰な攪拌を防止しつつ十分な溶解が得られる液体触媒製造方法および製造装置を提供することができる。
【図面の簡単な説明】
【００１７】
【図１】本発明の一実施形態の液体触媒製造装置を示す模式図。
【図２】前記実施形態の溶解槽を示す正面図。
【図３】前記実施形態の溶解槽を示す平面図。
【図４】前記実施形態の溶解槽を示す側面図。
【図５】前記実施形態の溶解槽内のフィルタを示す断面図。
【図６】前記実施形態の溶解槽に設置された送気管を示す側面図。
【図７】前記実施形態の送気管の断面を示す拡大断面図。
【図８】前記実施形態の送気管の異なる位置の断面を示す拡大断面図。
【図９】前記実施形態の空気流量と触媒濃度との関係を示すグラフ。
【発明を実施するための形態】
【００１８】
以下、本発明の一実施形態を図面に基づいて説明する。
図１において、液体触媒製造装置１は、コークス炉ガス脱硫設備の一部を構成し、湿式脱硫処理に用いられる液体触媒としてのピクリン酸水溶液を製造するものである。
液体触媒製造装置１は、ピクリン酸水溶液Ｗｐを貯蔵する貯蔵タンク１０と、溶媒水Ｗにピクリン酸粉体Ｐを溶解させてピクリン酸水溶液Ｗｐを製造する溶解槽２０とを有する。
【００１９】
貯蔵タンク１０は、所定量のピクリン酸水溶液Ｗｐを貯蔵可能なタンク本体１１を有する。
タンク本体１１には、ピクリン酸水溶液Ｗｐをコークス炉ガス脱硫設備の再生塔２に供給する配管１２が接続されている。配管１２の途中には、ポンプ１２１および調整弁１２２が設置されている。
タンク本体１１には、溶解槽２０からのピクリン酸水溶液Ｗｐが通る配管１３が接続されている。配管１３の途中には、ポンプ１３１および調整弁１３２が設置されている。配管１３の途中には、ピクリン酸水溶液の戻り配管１３３が接続されている。
【００２０】
タンク本体１１の内部には、貯留するピクリン酸水溶液Ｗｐの温度を調節するために、蒸気配管１１１が設置されている。
蒸気配管１１１には、低圧蒸気供給源４から蒸気が通る配管１４が接続されている。配管１４の途中には、調整弁１４１が設置されている。
配管１４の途中には、分岐配管１４２が接続され、その途中には調整弁１４３が設置されている。分岐配管１４２は、溶解槽２０から貯蔵タンク１０に至る配管１３に接続され、この配管１３を通るピクリン酸水溶液Ｗｐの温度調整が可能である。
【００２１】
溶解槽２０は、所定量のピクリン酸水溶液Ｗｐ（ピクリン酸粉体Ｐが既に溶解されている溶媒水Ｗ）を貯蔵可能な溶解槽本体２１を有する。ピクリン酸粉体Ｐは、ピクリン酸粉体供給源５から供給され、溶解槽本体２１に手作業で投入される。
溶解槽本体２１には、溶媒水供給源６から溶媒水Ｗが通る配管１６が接続されている。配管１６の途中には、調整弁１６１が設置されている。
溶解槽本体２１の内部には、空気バブリングによる攪拌を行うための送気管２２が設置されている。
送気管２２には、空気供給源７からの空気Ａが通る配管１７が接続されている。配管１７の途中には、調整弁１７１が設置されている。
【００２２】
図２、図３および図４には、溶解槽２０の詳細が示されている。
溶解槽２０は、直方体状に形成された溶解槽本体２１を有する。溶解槽本体２１の内部は、仕切板２１１で仕切られている。この仕切板２１１により、溶解槽本体２１の内部は溶解室２０１と送出室２０２とに仕切られている。
【００２３】
溶解室２０１には、図１で説明した溶媒水供給源６からの配管１６が接続されている。
溶解槽本体２１の上面には、溶解室２０１に連通する触媒粉体投入口２１５が形成されている。触媒粉体投入口２１５には、前述したピクリン酸粉体供給源５から供給されるピクリン酸粉体Ｐが手作業で投入され、溶解室２０１に供給される。
溶解槽本体２１の上面には、溶解室２０１に連通する溶媒水供給口２１６が形成されている。前述した溶媒水供給源６からの配管１６は、溶媒水供給口２１６に接続され、ここから溶媒水Ｗが溶解室２０１に供給される。
【００２４】
従って、溶解室２０１においては、貯留されているピクリン酸水溶液Ｗｐに、溶媒水供給口２１６からの溶媒水Ｗが補充されるとともに、そこに触媒粉体投入口２１５からのピクリン酸粉体Ｐが投下される。その結果、投下されたピクリン酸粉体Ｐと補充された溶媒水Ｗとにより、新たなピクリン酸水溶液Ｗｐが生成される。
【００２５】
図５に示すように、仕切板２１１には、上端から所定高さまで切り欠いて流出部２１２が形成されている。従って、溶解室２０１内のピクリン酸水溶液Ｗｐは、水位が流出部２１２の下縁より高くなった時点で送出室２０２内へ流出する。
流出部２１２にはフィルタ２１４が設置されており、送出室２０２内へ流出するピクリン酸水溶液Ｗｐから未溶解のピクリン酸粉体Ｐが濾過される。フィルタ２１４は、溶解槽本体２１の上面のカバー２１７を開いて保守点検等することができる。
【００２６】
送出室２０２には、図１で説明した貯蔵タンク１０への配管１３が接続されている。
溶解槽本体２１の下面には、送出室２０２に連通する液体触媒送出口２１３が形成されている。前述した貯蔵タンク１０への配管１３は、液体触媒送出口２１３に接続され、ここから送出室２０２内のピクリン酸水溶液Ｗｐが貯蔵タンク１０へと送出される。
【００２７】
前述した通り、溶解室２０１においては、触媒粉体投入口２１５から投入されたピクリン酸粉体Ｐが、溶解室２０１に貯留されたピクリン酸水溶液Ｗｐ（溶媒水Ｗが補充された分希釈されている）に溶解される。
ただし、ピクリン酸粉体Ｐは、ピクリン酸水溶液Ｗｐ（溶媒水Ｗ）に容易に溶解するものではなく、触媒粉体投入口２１５の直下の溶解室２０１の底面に、略円錐状の堆積層Ｐｓを形成する（図２参照）。
【００２８】
ここで、堆積層Ｐｓが形成される部位には、図１で説明した送気管２２が設置されている。送気管２２には、配管１７を介して空気供給源７からの空気Ａが供給され、送気管２２からバブルＢとして堆積層Ｐｓの内部に放出される。これにより堆積層Ｐｓの内部でバブリングが行われ、堆積層Ｐｓに対する緩やかな攪拌が行われる。
【００２９】
図２、図４および図５に示すように、送気管２２は、溶解室２０１の下部に、底面に沿って水平に配置されている。
図２および図３に示すように、送気管２２は、２本が平行に、かつ触媒粉体投入口２１５の中心位置を挟んで両側に配置されている。
このような配置により、触媒粉体投入口２１５から投入されたピクリン酸粉体Ｐが溶解室２０１の底面に堆積層Ｐｓを形成した際に、２本の送気管２２が堆積層Ｐｓに埋設されることになる。その結果、堆積層Ｐｓ内にバブリングを行うことができる。
【００３０】
図６に示すように、送気管２２は、溶解室２０１を横断する長さのパイプであり、その下面には所定間隔で、複数の通気孔２２１，２２２が交互に形成されている。
そして、送気管２２の一端に配管１３からの空気Ａを供給することで、通気孔２２１，２２２の各々からバブルＢとして放出され、堆積層Ｐｓ内でバブリングが行われる。
【００３１】
図７に示すように、通気孔２２１は、送気管２２の下面側に形成されている。一対の送気管２２の通気孔２２１は、下向きかつ互いに反対向きとなるように角度を付けられており、一対の通気孔２２１からのバブルＢは、互いに反対側向きに、それぞれ触媒粉体投入口２１５から離れる側に向けて生成される。
【００３２】
図８に示すように、通気孔２２２は、送気管２２の下面側に形成されている。一対の送気管２２の通気孔２２２は、下向きかつ互いに向かい合うように角度を付けられており、一対の通気孔２２２からのバブルＢは、互いに近づく向きに、つまり触媒粉体投入口２１５に向けて生成される。
このように、バブルＢを吹き出す向きが逆になった通気孔２２１，２２２が交互に設置されることで、送気管２２の各々の両側の広い領域にわたってバブリングを行うことができる。
【００３３】
本実施形態では、堆積層Ｐｓ内でのバブリングは、各々の送気管２２の調整弁１７１の開閉により間欠的に行われる。
調整弁１７１を開いて送気管２２からバブリングを開始し、堆積層Ｐｓの攪拌を行う。
攪拌状態で所定時間が経過したら、調整弁１７１を閉じ、バブリングを休止する。
休止状態で所定時間が経過したら、再び調整弁１７１を開き、バブリングを行う。
これらにより、所定時間にわたる攪拌期間と、所定時間にわたる休止期間とが繰り返される。
【００３４】
このように、攪拌動作を間欠的に繰り返すことで、攪拌期間に十分な空気量のバブリングを行って攪拌効果を高めるとともに、休止期間には空気Ａの消費を抑制することができる。
本実施形態において、攪拌動作時に、各々の送気管２２の調整弁１７１は、それぞれ空気Ａの流量が１４０（Ｎｍ３／ｈ）／ｍ２以下となるように調整される。
このような設定により、ピクリン酸水溶液Ｗｐにおけるピクリン酸の濃度、つまり触媒成分濃度を３ｗｔ％以下に制御することができ、過剰な濃度による再結晶などの不都合を回避することができる。
【００３５】
図９には、空気Ａの流量（横軸）と、ピクリン酸水溶液Ｗｐにおける触媒濃度（縦軸）との関係が示されている。
同図において、上の斜線範囲（触媒濃度が３．０Ｗｔ％以上）は、触媒濃度が高すぎて再結晶化し、閉塞などのトラブルを生じる可能性が高まる範囲である。
また、下の斜線範囲（触媒濃度が１．０Ｗｔ％以下）は、触媒濃度が低すぎて処理効率が低く、設備の大規模化が必要になる範囲である。
【００３６】
図９において、空気Ａの流量が２０（Ｎｍ３／ｈ）／ｍ２のとき、触媒濃度は２．０Ｗｔ％であり、上下の斜線範囲には入っていない。ここで、空気Ａの流量を増してゆくと、
空気Ａの流量が１４０（Ｎｍ３／ｈ）／ｍ２のとき、触媒濃度は３．０Ｗｔ％に達し、それ以上の空気流量は上の斜線範囲に入ってしまう。
このようなことから、空気Ａの流量が１４０（Ｎｍ３／ｈ）／ｍ２以下となるように、送気管２２の調整弁１７１を調整することが望ましい。
なお、調整弁１７１の操作およびバブリングの間欠動作は、作業員が行ってもよいし、シーケンサなどで自動実行してもよい。
【００３７】
以上に説明した本実施形態においては、次のような効果が得られる。
本実施形態では、ピクリン酸粉体Ｐの堆積層Ｐｓ内で、空気ＡによるバブルＢを吹き出してバブリングすることで、バブルＢが通過する際に、ピクリン酸粉体Ｐとピクリン酸水溶液Ｗｐ（溶媒水Ｗ）とを、広い面積で接触させることができる。
さらに、バブルＢの通過時にピクリン酸粉体Ｐを振動させ、攪拌効果を得ることができる。これにより、溶媒水Ｗに対するピクリン酸粉体Ｐの溶解を促進でき、触媒成分として十分な溶解が得られる。
一方、堆積層Ｐｓ内に吹き出されたバブルＢは、ピクリン酸粉体Ｐの隙間を通過するだけである。このため、堆積層Ｐｓを崩さないようにできるとともに、ピクリン酸粉体Ｐの巻き上げによる不都合や、ピクリン酸水溶液Ｗｐにおける触媒成分が過剰な濃度になる等の不都合を解消することができる。
【００３８】
本実施形態では、バブリング時の空気Ａの流量が１４０（Ｎｍ３／ｈ）／ｍ２以下としたので、ピクリン酸水溶液Ｗｐにおけるピクリン酸の濃度、つまり触媒成分濃度が３ｗｔ％以下に制御することができ、過剰な濃度による再結晶などの不都合を回避することができる。
【００３９】
本実施形態では、堆積層Ｐｓ内を延びる送気管２２を設置し、送気管２２の通気孔２２１，２２２から空気ＡのバブルＢを下向きに空気を吹き出すようにした。
このため、例えば休止期間などに、通気孔２２１，２２２から送気管２２内に、溶解室２０１内のピクリン酸水溶液Ｗｐ（溶媒水Ｗ）やピクリン酸粉体Ｐが侵入することを防止できる。
送気管２２内にピクリン酸水溶液Ｗｐやピクリン酸粉体Ｐが侵入すると、これを排出するために強いブローなどを行う必要がある。しかし、通気孔２２１，２２２の向き、つまり空気Ａを吹き出す向きを下向きとしておくことで、これらの侵入を未然に防止できる。
【００４０】
本実施形態では、交互に配置された通気孔２２１，２２２の向きを下向きかつ互いに逆向きとすることにより、空気ＡのバブルＢを吹き出す方向が、下向きかつ交互に逆向きとなるようにした。このため、送気管２２の各々の両側の広い領域にわたってバブリングを行うことができる。
【００４１】
本実施形態では、バブリングを行う攪拌期間と、バブリングを休止する休止期間とを繰り返すことにより、所定の時間間隔で間欠的にバブリングを行うようにした。
これにより、攪拌期間中はバブリングによる攪拌効果を得られるとともに、休止期間中は空気の供給を停止することができ、全体として少ない空気流量で攪拌力を確保することができる。
【００４２】
なお、本発明は、前述した実施形態に限定されるものではなく、本発明の目的を達成できる範囲での変形などは、本発明に含まれる。
前記実施形態において、送気管２２に交互に通気孔２２１，２２２を設け、通気孔２２１は２本の送気管２２の各々が互いに離れる向きに傾け、通気孔２２２は２本の送気管２２の各々が互いに近づく向きに傾けた。ただし、２本の送気管２２の通気孔２２１が互いに同じ向きであり、２本の送気管２２の通気孔２２２が互いに同じ向きであってもよく。
前記実施形態において、通気孔２２１，２２２を交互に傾けて設置したが、全て傾けずに直下に向けてもよい。
前記実施形態では、堆積層Ｐｓ内を延びる送気管２２から下向きに空気を吹き出す構造として、通気孔２２１，２２２を設けたが、これはスリットなど他の形状の開口であってもよい。さらに、孔やスリットは所定の細かさのネットで覆ってもよい。
【００４３】
前記実施形態では、間欠的なバブリングとして、所定の休止時間にわたる休止期間ののち、所定の攪拌時間にわたる攪拌期間でバブリングする運転パターンを採用した。この際、攪拌期間つまりバブリング時の送気は、攪拌期間中一定量を送気するパターンや、漸増したのち一定量を送気し、漸減して休止する台形状のパターン、漸増してピークに達したのち漸減する三角形のパターンなど、種々のパターンを採用することができる。
このような送気パターンは、送気管２２の調整弁１７１など、送気管２２に空気を供給する機構を用いて行うことができ、これらの弁制御は手動のほか制御装置により自動運転としてもよい。
【産業上の利用可能性】
【００４４】
本発明は、液体触媒製造方法および製造装置に関し、コークス炉ガス脱硫設備に用いる液体触媒の製造に利用できる。
【符号の説明】
【００４５】
１…液体触媒製造装置、２…再生塔、４…低圧蒸気供給源、５…ピクリン酸粉体供給源、６…溶媒水供給源、７…空気供給源、１０…貯蔵タンク、１１…タンク本体、１１１…蒸気配管、１２〜１７…配管、１２１…ポンプ、１２２…調整弁、１３１…ポンプ、１３２…調整弁、１３３…戻り配管、１４１…調整弁、１４２…分岐配管、１４３…調整弁、１６１…調整弁、１７１…調整弁、２０…溶解槽、２０１…溶解室、２０２…送出室、２１…溶解槽本体、２１１…仕切板、２１２…流出部、２１３…液体触媒送出口、２１４…フィルタ、２１５…触媒粉体投入口、２１６…溶媒水供給口、２１７…カバー、２２…送気管、２２１，２２２…通気孔、Ａ…空気、Ｂ…バブル、Ｐ…ピクリン酸粉体、Ｐｓ…堆積層、Ｗ…溶媒水、Ｗｐ…ピクリン酸水溶液。
【図１】
0006628683.tif 000002
【図２】
0006628683.tif 000003
【図３】
0006628683.tif 000004
【図４】
0006628683.tif 000005
【図５】
0006628683.tif 000006
【図６】
0006628683.tif 000007
【図７】
0006628683.tif 000008
【図８】
0006628683.tif 000009
【図９】
0006628683.tif 000010